(57)【特許請求の範囲】
【請求項１】
ホース長手方向に配列したタテ糸と、該タテ糸に対して周方向に螺旋状に巻回するように交錯させたヨコ糸とから筒状織物を構成した消防用ホースにおいて、前記ヨコ糸として、
合成重合体からなるモノフィラメントを使用したヨコ糸、あるいは合成重合体からなるモノフィラメントと合成繊維マルチフィラメント糸又はスパン糸とを併用したヨコ糸を使用し、かつ、前記筒状織物を前記タテ糸が前記ヨコ糸の外側と内側とに２／２又は３／３で、かつ隣接するタテ糸間で１本毎にヨコ糸に対して表裏反対側になるように糸通ししたタテ畦織に形成すると共に、前記筒状織物の外側面および内側面において、前記隣接するタテ糸が互いに密接するように挿入されて前記ヨコ糸を完全に被覆することにより該ヨコ糸を露出させないようにし、かつ、該筒状織物の内面及び／又は外面を樹脂層で被覆したことを特徴とする消防用ホース。
【発明の詳細な説明】
【０００１】
【発明の属する技術分野】
本発明は消防用ホースに関し、さらに詳しくは内面の流動抵抗を低減すると共に、外面の耐摩耗性を向上した消防用ホースに関する。
【０００２】
【従来の技術】
一般に消防用ホースはタテ糸とヨコ糸から織製した筒状織物を主たる構造体とし、必要により筒状織物の内面及び／又は外面に樹脂層を被覆して構成されている。このような消防用ホースに対する要求特性の一つとして、ホース径を変えることなく単位時間当たりの送水量を増大することがある。また、ホースをリールから引き出す時やホースを地上で左右に引きずる際の摩擦抵抗を低減することにより、耐摩耗性を向上するということがある。
【０００３】
しかし、従来の消防用ホースでは、筒状織物の組織として、織物密度を多くすることが有利な平織が採用されているため、上述のように内面の流動抵抗を低減したり、外面の耐摩耗性の向上することには限界があり、現在の水準から大幅に改善することは殆ど無理とされていた。
【０００４】
【発明が解決しようとする課題】
本発明の目的は、上述した問題を解消し、内面の流動抵抗の一層の低減を可能にすると共に、外面の耐摩耗性を一層向上するようにした消防用ホースを提供することにある。
【０００５】
【課題を解決するための手段】
上記目的を達成する本発明の消防用ホースは、ホース長手方向に配列したタテ糸と、該タテ糸に対して周方向に螺旋状に巻回するように交錯させたヨコ糸とから筒状織物を構成した消防用ホースにおいて、前記ヨコ糸として、合成重合体からなるモノフィラメントを使用したヨコ糸、あるいは合成重合体からなるモノフィラメントと合成繊維マルチフィラメント糸又はスパン糸とを併用したヨコ糸を使用し、かつ、前記筒状織物を前記タテ糸が前記ヨコ糸の外側と内側とに２／２又は３／３で、かつ隣接するタテ糸間で１本毎にヨコ糸に対して表裏反対側になるように糸通ししたタテ畦織に形成すると共に、前記筒状織物の外側面および内側面において、前記隣接するタテ糸が互いに密接するように挿入されて前記ヨコ糸を完全に被覆することにより該ヨコ糸を露出させないようにし、かつ、該筒状織物の内面及び／又は外面を樹脂層で被覆したことを特徴とする消防用ホースである。
【０００６】
上記のように、ホース長手方向に配列したタテ糸と、該タテ糸に対して周方向に螺旋状に巻回するように交錯させたヨコ糸とから筒状織物を構成した消防用ホースにおいて、前記ヨコ糸として、合成重合体からなるモノフィラメントを使用したヨコ糸、あるいは合成重合体からなるモノフィラメントと合成繊維マルチフィラメント糸又はスパン糸とを併用したヨコ糸を使用し、かつ、前記筒状織物を前記タテ糸が前記ヨコ糸の外側と内側とに２／２又は３／３で、かつ隣接するタテ糸間で１本毎にヨコ糸に対して表裏反対側になるように糸通ししたタテ畦織に形成すると共に、前記筒状織物の外側面および内側面において、前記隣接するタテ糸が互いに密接するように挿入されて前記ヨコ糸を完全に被覆することにより該ヨコ糸を露出させないようにし、かつ、該筒状織物の内面及び／又は外面を樹脂層で被覆したことにより、それぞれ筒状織物の外側面と内側面とにタテ糸が長手方向に長く浮き出た状態になり、しかもタテ糸でヨコ糸を露出させることなく被覆状態にしている上で、該筒状織物の内面及び／又は外面を樹脂層で被覆しているので、筒状織物の内外両面とも凹凸の変化が少なくなり平滑性が増大する。したがって、送水する際のホース内面の流動抵抗は低減され、また外面はホースをリールから引き出す際や、ホースを地上で左右へ引きずる際の滑り抵抗を小さくし、耐摩耗性を向上することとなる。
【０００７】
【発明の実施の形態】
図１は、本発明の消防用ホースの一例を示す要部縦断面図である。
【０００８】
消防用ホース１０は、所謂保形型ホースとして形成されたもので、常に円筒状の形態に保持されている。この消防用ホース１０の主たるホース構造体は筒状織物１１からなり、その内側面と外側面とにそれぞれ薄い樹脂層１２，１３が被覆されている。筒状織物１１はホース長手方向に平行に延長する多数本のタテ糸１と、これらタテ糸１に対し周方向に螺旋状に巻回しながら交錯するヨコ糸２とから構成されている。
【０００９】
ヨコ糸２は、合成重合体のモノフィラメント２ａと合成繊維マルチフィラメント糸２ｂとの２種類が挿入され、互いに平行に筒状織物１１の周囲を螺旋状に巻回している。２種類のヨコ糸のうち、モノフィラメント２ａはマルチフィラメント糸２ｂに比べて剛性が高いため、ホースを筒状に保形する役目をしているのであり、ヨコ糸に合成重合体のモノフィラメント２ａを使用することが重要である。
【００１０】
このヨコ糸２としては、保形を行うモノフィラメント２ａだけを設け、マルチフィラメント糸２ｂの方は省略するようにしてもよい。また、合成繊維マルチフィラメント糸２ｂとしては、スパン糸に置き換えるようにしてもよい。
【００１１】
他方、タテ糸１は、図１に示すように、ヨコ糸２（２ａ，２ｂ）に対して交錯点を２本ずつ外側と内側とに交互に設けて、２／２のように糸通しされている。さらに図３の織物組織図のように、ヨコ糸方向に隣接するタテ糸は、そのヨコ糸に対する糸通しのパターンが互いに隣接するタテ糸間で１本毎に表裏が反対になるようにして、タテ畦織を構成している。また、複数本のタテ糸１は高密度に互いに密接するように挿入され、筒状織物１１の外側面及び内側面とも、ヨコ糸２がタテ糸１により完全に被覆され、該ヨコ糸２が外側には露出しない状態になっている（図２参照）。
【００１２】
図３の組織図において、ハッチングで示した組織点はタテ糸が浮きになる場合を示し、白抜きの組織点はヨコ糸が浮きになる場合を示している。したがって、タテ糸１がヨコ糸２に対して外側と内側とに２／２で糸通しされると、筒状織物１１の長手方向にタテ糸１が長く浮き出た状態に配列される。しかも、ヨコ糸２を露出させない密な被覆状態にするので、筒状織物１１の内外両面とも、少なくとも長手方向に対して凹凸変化が少ない平滑性を増する。このように筒状織物１１の内面及び外面が平滑性を増大する結果、内面では消防水を送水するときの流動抵抗が低減し、また外面ではホースを引き出す際の滑り抵抗を小さくするため、耐摩耗性を向上する。
【００１３】
本発明において、タテ糸のヨコ糸に対する糸通し態様としては、上述のように２／２の２本ずつの飛びにするほか、図４に示すように、ヨコ糸を３本ずつ飛ぶ３／３の糸通しにしたタテ畦織であってもよい。３／３の糸通しは、タテ糸１のホース長手方向に対する浮き長さが２／２の糸通しに比べて更に大きくなるため、内面における送水の流動抵抗をさらに低減し、また外面における耐摩耗性を一層向上する。しかし、糸通しの飛びが４／４以上になると、交錯点の数が低下することによって織物構造が柔らかく不安定になり、耐摩耗性が低下するようになるため好ましくない。
【００１５】
本発明の消防用ホースは、図１に例示した保形型ホースのほか、ヨコ糸に保形用のモノフィラメントを挿入しないジャケット型ホースにも適用することができる。
【００１６】
タテ糸は、合成繊維マルチフィラメント糸であっても、スパン糸のいずれであってもよい。また、ヨコ糸は、保形型ホースの場合にはモノフィラメント糸の使用が必須であるが、図１に示した実施形態のように、合成繊維マルチフィラメント糸やスパン糸を併用することを妨げるものではない。
【００１７】
また、図１の実施形態では、筒型織物の内面及び外面に樹脂層を被覆したが、この樹脂層は必ずしも内面及び外面の双方に必要とするものではなく、少なくともいずれかに設ければよい。
【００１８】
【発明の効果】
上述したように本発明によれば、ホース長手方向に配列したタテ糸と、該タテ糸に対して周方向に螺旋状に巻回するように交錯させたヨコ糸とから筒状織物を構成した消防用ホースにおいて、前記ヨコ糸として、合成重合体からなるモノフィラメントを使用したヨコ糸、あるいは合成重合体からなるモノフィラメントと合成繊維マルチフィラメント糸又はスパン糸とを併用したヨコ糸を使用し、かつ、前記筒状織物を前記タテ糸が前記ヨコ糸の外側と内側とに２／２又は３／３で、かつ隣接するタテ糸間で１本毎にヨコ糸に対して表裏反対側になるように糸通ししたタテ畦織に形成すると共に、前記筒状織物の外側面および内側面において、前記隣接するタテ糸が互いに密接するように挿入されて前記ヨコ糸を完全に被覆することにより該ヨコ糸を露出させないようにし、かつ、該筒状織物の内面及び／又は外面を樹脂層で被覆したことにより、それぞれ筒状織物の外側面と内側面とにタテ糸が長手方向に長く浮き出た構成になっており、しかもタテ糸でヨコ糸が露出しないように被覆状態にしているので、前記樹脂層での被覆効果と相俟って筒状織物の内外両面とも平滑性を増大した状態になり、送水するホース内面の流動抵抗を低減し、また外面はホースをリールから引き出す際や、ホースを地上で左右に引きずる際の滑り抵抗を低減し、耐摩耗性を向上することができる。
【図面の簡単な説明】
【図１】本発明の消防用ホースの一例を模式的に示す縦断面図である。
【図２】図１の消防用ホースを構成する筒状織物の表面を示す平面図である。
【図３】図１の消防用ホースを構成する筒状織物の組織図である。
【図４】本発明の消防用ホースを構成する筒状織物の他の例を示す組織図である。
【符号の説明】
１ タテ糸
２，２ａ，２ｂ ヨコ糸
１０ 消防用ホース
１１ 筒状織物
１２，１３ 樹脂層
【図１】
0004846081.tif 000002
【図２】
0004846081.tif 000003
【図３】
0004846081.tif 000004
【図４】
0004846081.tif 000005